(57)【要約】      （修正有）【課題】米飯の完食を促すことができる児童用弁当箱を提供する。【解決手段】上部に開口部を有する米飯収容室４の底部内面に称賛メッセージ７ａを表示した表示部７を設け、米飯収容室４に米飯６を充填したとき、米飯により称賛メッセージ７ａを視認不能に隠蔽すると共に、米飯６を消費したとき、称賛メッセージ７ａが表れて開口部から視認可能とする。【選択図】図３
0003170912.tif 000002
【実用新案登録請求の範囲】
【請求項１】
上部に開口部を有する米飯収容室(4)を備えた本体(1)と、該本体の開口部を開閉自在に施蓋する蓋体(2)とから成る弁当箱において、前記米飯収容室(4)の底部内面に称賛メッセージ(7a)を表示した表示部(7)を設け、米飯収容室(4)に米飯(6)を充填したとき、該米飯により前記称賛メッセージ(7a)を視認不能に隠蔽すると共に、米飯(6)を消費したとき、前記称賛メッセージ(7a)が表れて前記開口部から視認可能とされるように構成して成ることを特徴とする児童用弁当箱。
【請求項２】
前記本体(1)に惣菜収容室(3)と米飯収容室(4)を併設し、前記米飯収容室(4)の底部内面にのみ前記称賛メッセージ(7a)を含む表示部(7)を設けて成ることを特徴とする請求項１に記載の児童用弁当箱。
【考案の詳細な説明】
【技術分野】
【０００１】
本考案は、米飯の完食を促すように構成した児童用弁当箱に関する。
【背景技術】
【０００２】
従来、児童が弁当を食する場合、しばしば、完食せず、米飯を食べ残してしまう問題がある。
【０００３】
本出願人において、種々の弁当箱を提案しているが、完食を促進可能とした児童用弁当箱は存在していない。
【先行技術文献】
【特許文献】
【０００４】
【特許文献１】特許第３６４５５１５号公報
【特許文献２】特許第３５４７４０９号公報
【考案の概要】
【考案が解決しようとする課題】
【０００５】
児童に弁当を完食させるためには、完食したとき、称賛してやることが肝要である。これにより、快く完食するようになり、目的を達することができる。
【０００６】
しかしながら、児童が弁当を食する際、常に父兄等が同伴しているわけではなく、学校等に持参した弁当を児童が一人で食する場合もあるので、どのようにして称賛を与えるかが課題となる。
【課題を解決するための手段】
【０００７】
本考案は、簡単な構造でありながら、児童が弁当箱の米飯を完食したとき、サプライズとして称賛メッセージを与えるように構成した児童用弁当箱を提供するものである。
【０００８】
そこで、本考案が手段として構成したところは、上部に開口部を有する米飯収容室を備えた本体と、該本体の開口部を開閉自在に施蓋する蓋体とから成る弁当箱において、前記米飯収容室の底部内面に称賛メッセージを表示した表示部を設け、米飯収容室に米飯を充填したとき、該米飯により前記称賛メッセージを視認不能に隠蔽すると共に、米飯を消費したとき、前記称賛メッセージが表れて前記開口部から視認可能とされるように構成して成る点にある。
【０００９】
本考案の好ましい実施形態は、前記本体に惣菜収容室と米飯収容室を併設し、前記米飯収容室の底部内面にのみ前記称賛メッセージを含む表示部を設けている。
【考案の効果】
【００１０】
本考案によれば、児童が弁当を食する際、当初は米飯６により隠蔽されていた称賛メッセージ７ａが米飯６を食するに伴い次第に表れ、児童にサプライズを与えることにより完食を促し、食べ残しを防止すると共に、米飯６を完食したときは、全貌を表した称賛メッセージ７ａが児童の完食の努力を称賛することにより、完食の達成感を満足させることができる。
【図面の簡単な説明】
【００１１】
【図１】本考案の１実施形態を示す斜視図である。
【図２】米飯を充填する前の弁当箱の本体を示す平面図である。
【図３】米飯を充填した状態の弁当箱の本体を示しており、（Ａ）は米飯を食する前の状態を示す平面図、（Ｂ）は米飯を食した状態かつ完食前の状態を示す平面図である。
【考案を実施するための形態】
【００１２】
以下図面に基づいて本考案の好ましい実施形態を詳述する。
【００１３】
図１は、本考案の１実施形態に係る弁当箱を示しており、弁当箱は、上部に開口部を有する本体１と、該本体１の開口部を開閉自在に施蓋する蓋体２とから構成されている。
【００１４】
弁当箱は、従来公知のように、積層可能な複数の米飯用本体及び惣菜用本体と、中蓋及び上蓋等により多段式に構成しても良いが、図示実施形態の場合、合成樹脂製の１段の本体１に、惣菜収容室３と米飯収容室４を併設し、惣菜収容室３に所望個数の惣菜容器５を収容し、米飯収容室４に米飯６を充填するように構成している。尚、図示省略しているが、惣菜収容室４と米飯収容室５の間に仕切り板を挿脱自在に挿入しても良い。
【００１５】
図示実施形態の場合、蓋体２は、シリコン等の弾性材により成形され、本体１の開口縁に密着状態で施蓋される。
【００１６】
上記構成において、前記米飯収容室６の底部内面には、称賛メッセージ７ａを表示した表示部７が設けられている。
【００１７】
称賛メッセージ７ａは、例えば、次のような文章により構成することができる。
・のこさず、たべて、えらいね！
・きれいに、たべたね、えらい！
・のこさず、ぜんぶ、たべました。がんばったね！
・しっかり、のこさず、たべました。やったね！
・ぜんぶ、たべたね。かっこいい！
・きょうも、のこさず、たべたね。すごい！
【００１８】
前記表示部７は、称賛メッセージ７ａの他、児童が好むキャラクターや、花丸その他の図柄７ｂを含むことが好ましい。
【００１９】
図示実施形態において、前記表示部７は、合成樹脂により本体１を成形する際に、プリントシートを金型にインサートすることにより本体１の底部内面に一体に固着されているが、本体１の底部内面に取替自在に敷設可能な複数のシートにより構成しても良く、その場合、称賛メッセージ７ａの文章や図柄７ｂのキャラクター等が相違する複数のシートを準備し、機会に応じて取替えることにより、飽きの来ない称賛メッセージの表示が可能となる。
【００２０】
図示のように惣菜収容室３と米飯収容室４を併設した構成の場合、称賛メッセージ７ａを含む表示部７は、本体１の底部内面のうち、米飯収容室６の底部内面にのみ設け、弁当を準備する母親等が誤って惣菜容器５を表示部７の上に設置することがないように構成するのが好ましい。例えば、惣菜収容室３の底部内面は、無表示とするか又は惣菜容器の収容部であることを表示する別の表示部を設けておけば、弁当を準備する際に表示部７が惣菜容器５により隠蔽されることを防止することができる。
【００２１】
弁当の準備に際して、図３（Ａ）に示すように、惣菜収容室３に惣菜容器５を収容した状態で、米飯収容室４に米飯６を充填すると、称賛メッセージ７ａを含む表示部７は、該米飯６により視認不能に隠蔽される。この状態で本体１を蓋体２により施蓋し、児童に持参させる。
【００２２】
児童が弁当を食する際、図３（Ｂ）に示すように、米飯６を食するに従い、表示部７の称賛メッセージ７ａが次第に表れ、本体１の開口部から視認可能となる。これがサプライズとなり、児童は残存する米飯６を食べようとする努力を促される。そして、米飯６を全て食べ尽くすと、称賛メッセージ７ａの全体が表れ、努力を称賛するので、完食の達成感を満足させることができる。
【符号の説明】
【００２３】
１  本体
２  蓋体
３  惣菜収容室
４  米飯収容室
６  米飯
７  表示部
７ａ  称賛メッセージ
【図１】
0003170912.tif 000003
【図２】
0003170912.tif 000004
【図３】
0003170912.tif 000005